(57)【要約】【課題】放射線による誤作動を未然に防止し安全性を高め、ファームウェアの更新回数を低減できる放射線センサを備える通信端末を提供する。【解決手段】放射線を計測可能な通信端末であって、放射線を計測する放射線センサ１６と、外部の他の装置との送受信を行なう通信部１２と、エラー訂正機能を有する記憶部１１と、通信端末に接続され、自己の設定情報が格納されるフラッシュメモリ１７１，１８１を含む周辺部（タッチパネル１７、カメラ１８）と、放射線センサ１６、タッチパネル１７およびカメラ１８を制御する制御部１０とを備え、記憶部１１は、放射線による影響を受けていない周辺部の設定情報である更新情報を格納し、制御部１０は、放射線量の積算量が所定値を超えているときは、更新情報を記憶部１１から読出し、周辺記憶部の設定情報を更新情報に更新する。【選択図】図３
2013183417.tif 000002
【特許請求の範囲】
【請求項１】
放射線を計測可能な通信端末であって、
放射線を計測する放射線センサと、
外部の他の装置との送受信を行なう通信部と、
エラー訂正機能を有する記憶部と、
前記通信端末に接続され、自己の設定情報が格納される周辺記憶部を含む周辺部と、
前記放射線センサおよび前記周辺部を制御する制御部とを備え、
前記記憶部は、放射線による影響を受けていない前記周辺部の設定情報である更新情報を格納し、
前記制御部は、放射線量の積算量が所定値を超えているときは、前記更新情報を前記記憶部から読出し、前記周辺記憶部の前記設定情報を前記更新情報に更新する、通信端末。
【請求項２】
前記放射線量の積算値は、放射線関連情報として前記記憶部に格納され、
前記制御部は、前記更新情報に更新後、前記放射線量の積算値をリセットする、請求項１に記載の通信端末。
【請求項３】
前記通信部が一定時間ごとに前記外部の他の装置と通信する間欠動作をする場合に、前記制御部は、通信時および非通信時に関わらず、前記更新情報を前記記憶部から読出し、前記周辺記憶部の前記設定情報を前記更新情報に更新する、請求項１に記載の通信端末。
【請求項４】
前記記憶部は、測定時間、放射線量、放射線量の積算値、測定日時、前回の測定からの経過時間、測定場所情報のいずれか一つを格納する、請求項１に記載の通信端末。
【請求項５】
前記制御部は、前記更新情報に更新する場合に、前記周辺部を動作させるアプリケーションソフトウェアが実行中であるときは、前記設定情報を前記更新情報に更新する前に、前記周辺部を動作させる前記アプリケーションソフトウェアを停止する、請求項１に記載の通信端末。
【請求項６】
前記通信端末は、
表示部をさらに備え、
前記制御部は、更新時に前記アプリケーションソフトウェアを停止前に、ユーザに前記アプリケーションソフトウェアを停止状態に移行させることを報知する表示を行なうように前記表示部を制御する、請求項５に記載の通信端末。
【請求項７】
前記周辺部は、タッチパネル、カメラのいずれかを一つ含む、請求項１から請求項６のいずれか１項に記載の通信端末。
【発明の詳細な説明】
【技術分野】
【０００１】
本発明は、通信端末に関し、特に放射線センサを備える通信端末に関する。
【背景技術】
【０００２】
現在市販されている通信端末（たとえば携帯電話など）では放射線センサを搭載しておらず、放射線の影響によるメモリのデータ化けが原因の誤動作を未然に防ぐことができない問題がある。
【０００３】
また、携帯電話のオプション品として、放射線量測定機器が存在するが、この機器の機能は放射線量を測定して、現状の状態（放射線量）を表示装置に表示してユーザーに伝えるのみの使用用途であり、誤動作を解消するまでには至っていない。
【０００４】
このような放射線の影響によるメモリのデータ化けが原因の誤動作を未然に防ぐ技術として下記のものが知られている。
【０００５】
特開２００４−２３４７５号公報（特許文献１）に開示される技術は、携帯電話に組み込まれ、異常発生時に通報信号を、電波を用いて、送信する携帯型通報装置であって、音声の情報を取り込んで記録する音声録音手段と、異常な状況を検出する異常検出手段と、手動操作に従って送信要求を出力する送信要求手段と、一定期間に渡る音声情報を前記音声録音手段に常に記録し続ける音声記録制御手段と、前記異常検出手段によって異常な状況が検出されたとき、又は前記送信要求手段から送信要求が出力されたときに、少なくともそれ以前に前記音声録音手段に記録された過去の音声情報と自局に割り当てられた識別コードとを含む情報を通報信号として送信する通報送信制御手段とを設ける。
【０００６】
放射線センサや熱センサユニットを接続した携帯型通報装置を放射性物質関連施設で働く従業員に携帯させることにより、事故が発生し現場の従業員が死亡して事故状況を推測せざる得ない場合であっても、送信先で記録された音声情報から、事故発生前に行っていた作業やその作業の指示者や作業の実行者を特定することが可能になるような技術が知られている。
【０００７】
また、放射線を検知するための技術として下記のものが知られている。
特開平７−６３８５７号公報（特許文献２）および特開平７−２７８６２号公報（特許文献３）に開示される放射線検知装置は、放射線施設や管理区域の入場者が帯同する放射線センサで検知した放射線の強さおよび測定場所を、例えばこの管理センタで速やかに検知し、放射線の強さが許容値を越えたときはこの管理センタでも警報を発するようにする。
【先行技術文献】
【特許文献】
【０００８】
【特許文献１】特開２００４−２３４７５号公報
【特許文献２】特開平７−６３８５７号公報
【特許文献３】特開平７−２７８６２号公報
【発明の概要】
【発明が解決しようとする課題】
【０００９】
しかしながら、特開２００４−２３４７５号公報（特許文献１）、特開平７−６３８５７号公報（特許文献２）および特開平７−２７８６２号公報（特許文献３）に開示される技術には、プログラム書き込み用デバイスとしてフラッシュメモリを搭載する携帯電話も多く、放射線量が高い環境や蓄積された放射線によりこのメモリ内の情報が異なる（メモリ化け）状態となり正常に読み出せなくなったり、誤動作を引き起こしたり、最悪動作しないという不具合が発生を防止することについて詳しく検討されていない。
【００１０】
また、誤動作後にファームウェアの更新を行なうことにより、データ異常を修正することもできるが、誤動作が発生する度にファームウェアの更新を行ない対処することができるが、この方法では、アプリケーションの起動などの時間が増大したり、メモリの寿命が減少したりする問題が生じる。
【００１１】
さらに、携帯電話の構成は小型・薄型のものが多く、たとえば携帯電話に放射性物質が付着した場合には、携帯電話の表面から内蔵されている電子部品（たとえばメモリ）までの距離が短く、放射線の影響を受けやすい。さらに放射性物質の半減期は長く、電子部品は長い間影響を受けることになる。
【００１２】
この発明は、上述する課題を解決するためになされたもので、その目的は、放射線による誤作動を未然に防止し安全性を高め、ファームウェアの更新回数を低減できる放射線センサを備える通信端末を提供することである。
【課題を解決するための手段】
【００１３】
放射線を計測可能な通信端末であって、放射線を計測する放射線センサと、外部の他の装置との送受信を行なう通信部と、エラー訂正機能を有する記憶部と、通信端末に接続され、自己の設定情報が格納される周辺記憶部を含む周辺部と、放射線センサおよび周辺部を制御する制御部とを備え、記憶部は、放射線による影響を受けていない周辺部の設定情報である更新情報を格納し、制御部は、放射線量の積算量が所定値を超えているときは、更新情報を記憶部から読出し、周辺記憶部の設定情報を更新情報に更新する。
【００１４】
好ましくは、放射線量の積算値は、放射線関連情報として記憶部に格納され、制御部は、更新情報に更新後、放射線量の積算値をリセットする。
【００１５】
好ましくは、通信部が一定時間ごとに外部の他の装置と通信する間欠動作をする場合に、制御部は、通信時および非通信時に関わらず、更新情報を記憶部から読出し、周辺記憶部の設定情報を更新情報に更新する。
【００１６】
また、好ましくは、記憶部は、測定時間、放射線量、放射線量の積算値、測定日時、前回の測定からの経過時間、測定場所情報のいずれか一つを格納する。
【００１７】
好ましくは、制御部は、更新情報に更新する場合に、周辺部を動作させるアプリケーションソフトウェアが実行中であるときは、設定情報を更新情報に更新する前に、周辺部を動作させるアプリケーションソフトウェアを停止する。
【００１８】
さらに好ましくは、通信端末は、表示部をさらに備え、制御部は、更新時にアプリケーションソフトウェアを停止前に、ユーザにアプリケーションソフトウェアを停止状態に移行させることを報知する表示を行なうように表示部を制御する。
【００１９】
好ましくは、周辺部は、タッチパネル、カメラのいずれかを一つ含む。
【発明の効果】
【００２０】
本発明の一実施例によれば、誤動作の発生を防止することで、携帯電話のシステムの安全性を高めることができる。また、ユーザーへの携帯電話の状態（異常状態）を報知することで、突然の携帯電話の機能停止を回避でき、ユーザーが混乱することを防ぐことができる。
【００２１】
また、仮に携帯電話の状態が異常になった場合には、放射線量が高い状態にいることをユーザーが認識できるため、ユーザー自ら意図的にファームウェアの更新処理を行い正常に復帰することが可能となる。
【００２２】
また、ファームウェアの更新回数を低減することができ、ＣＰＵの負荷を低減させると同時にメモリの書き換え回数も低減できる。
【図面の簡単な説明】
【００２３】
【図１】本実施の形態にかかる通信端末１００の構成の具体例を示す図である。
【図２】通信端末１００の装置構成の具体例を示す図である。
【図３】制御部１０の機能構成の具体例を示すブロック図である。
【図４】実施の形態の通信端末１００での動作の流れを示す図である。
【発明を実施するための形態】
【００２４】
以下、本発明について図面を参照して詳しく説明する。なお、図中同一又は相当部分には同一の符号を付してその説明は繰り返さない。
【００２５】
［実施の形態１］
＜通信端末の概観＞
図１は、本実施の形態にかかる通信端末１００の構成の具体例を示す図である。図１を参照して、通信端末１００は、放射線センサ１６を備える。通信端末１００は、たとえば、携帯電話機、情報受信機能を有するナビゲーション装置、などが該当する。
【００２６】
＜装置構成＞
図２は、通信端末１００の装置構成の具体例を示す図である。
【００２７】
図２を参照して、通信端末１００は、ＣＰＵ（Ｃｅｎｔｒａｌ  Ｐｒｏｃｅｓｓｉｎｇ  Ｕｎｉｔ）を含み、装置全体を制御するための制御部１０と、制御部１０で処理するための各種プログラムやデータなどを記憶するための記憶部１１と、アンテナを含み、電話やメールなどの外部からの情報を受信したり、当該端末から情報をアンテナで外部に発したりするための通信部１２と、ＬＥＤ（Ｌｉｇｈｔ  Ｅｍｉｔｔｉｎｇ  Ｄｉｏｄｅ）ディスプレイやＬＣＤ（Ｌｉｑｕｉｄ  Ｃｒｙｓｔａｌ  Ｄｉｓｐｌａｙ）などである表示部１３と、キーなどのユーザからの入力を受け付けるための入力部１４と、当該通信端末１００に電力を供給するための電源部１５と、通信端末１００の周辺の放射線量等を測定する放射線センサ１６と、タッチパネル１７と、撮像手段のカメラ１８とを含む。タッチパネル１７およびカメラ１８は、各種設定を格納するフラッシュメモリ１７１，１８１を含む。なお。タッチパネル１７は、カメラ１８のファインダとして機能する場合がある。
【００２８】
また、記憶部１１は、たとえばエラー訂正機能付きのＥＣＣメモリ（Ｅｒｒｏｒ  Ｃｈｅｃｋ  ａｎｄ  Ｃｏｒｒｅｃｔ  ｍｅｍｏｒｙ）を含む。このエラー訂正機能付きメモリは、単一ビットのエラーを訂正することが可能であり、さらに複数ビットのエラーを検出することができる。よってたとえば、ＥＣＣメモリ１１に放射線によるデータ化けが発生しても自己完結で訂正することができ、システムを問題もなく駆動させつづけることができる。すなわち、ＥＣＣメモリ１１は、後述するフラッシュメモリ１７１，１８１と比較して放射線の影響を受けにくいデバイス（機器）と言える。
【００２９】
一方、タッチパネル１７およびカメラ１８などが備えるフラッシュメモリ１７１，１８１は、小型・小容量タイプであり、上述したチップ面積の制約やコスト上の問題からエラー訂正機能を備えていないことが多く、ＥＣＣメモリ１１と比較して、放射線の影響を受けやすい。なお、本実施の形態ではフラッシュメモリ１７１，１８１にエラー訂正機能を備えていないとして説明したが、これに限定することなく、フラッシュメモリ１７１，１８１にエラー訂正機能を備えてもよい。
【００３０】
＜機能構成＞
図３は、制御部１０の機能構成の具体例を示すブロック図である。図３に表された各機能は、通信端末１００の制御部１０に含まれるＣＰＵが、記憶部１１に記憶されるプログラムを読み出して実行することで、主に、ＣＰＵに形成されるものである。しかしながら、少なくとも一部が電気回路等のハードウェア構成によって実現されてもよい。
【００３１】
図３を参照して、制御部１０は、入力部１４からの指示入力を受け付けるための指示入力部１０１と、その指示に応じて放射線測定モードを設定するためのモード設定部１０２と、その設定を記憶するためのモード記憶部１０３とを含む。
【００３２】
さらに制御部１０は、放射線センサ１６が検出した放射線量の入力を受け付けるための放射線量入力部１０４と、入力される放射線量を判断するための放射線量判断部１０５と、測定される放射線量に対応する状態を記憶する状態記憶部１０６とを含む。モード記憶部１０３は、通信判断部１０８からの情報を格納する。また、放射線量判断部１０５は、測定した放射線量を後述する表示制御部１１０に通知する。一方、放射線量判断部１０５は、放射線量の累積値（積算値）を後述するメモリ制御部１１１を通じて記憶部１１に格納する。
【００３３】
また、制御部１０は、通信部１２から電話等の着信を検知する通信検知部１０７と、電話等の着信を開始するか否かを判断するための通信判断部１０８と、その判断結果に従って、通信を実現するように通信部１２を制御するための通信制御部１０９とを含む。モード記憶部１０３は、通信判断部１０８の現在の通信状態に関する情報を格納する。
【００３４】
また、制御部１０は、電話の着信や放射線量を表示部１３で報知（通知）する処理を行なうための表示制御部１１０を含む。
【００３５】
制御部１０は、放射線量の累積値、測定時間、単位時間あたりの放射線量、測定日時、測定間の経過時間および測定場所（以下、放射線関連情報という。）などを記憶部１１に格納する処理を行なうためのメモリ制御部１１１を含む。なお、本実施例では、記憶部１１は制御部１０の外部に設けられているが、これに限ることなく、制御部１０の内部に設けてもよい。
【００３６】
制御部１０は、タッチパネル１７のオン・オフ制御を行なうタッチパネル制御部１１７を含む。メモリ制御部１１１からタッチパネル１７内のフラッシュメモリ１７１に書換用データが転送され、タッチパネル制御部１１７は、フラッシュメモリ１７１に対してデータの更新処理を行なう。
【００３７】
制御部１０は、カメラ１８のオン・オフ制御を行なうカメラ制御部１１８を含む。メモリ制御部１１１からカメラ１８内のフラッシュメモリ１８１に書換用データ（修正用ファームウェア）が転送され、カメラ制御部１１８は、フラッシュメモリ１８１に対して書換用データ（修正用ファームウェア）の更新処理を行なう。
【００３８】
＜動作フロー＞
図４は、実施の形態の通信端末１００での動作の流れを示す図である。図１、図４を参照して、通信端末１００は、一定時間ごと（定期的）に基地局と、メールの送受信やＧＰＳ情報の取得などの種々の情報の通信処理（無線通信）を行なう。なお、この処理を間欠動作という。
【００３９】
初めに、この間欠動作をする場合に、基地局と非通信のときに、制御部１０は、自動的に放射線センサ１６を起動させ、通信端末の外部の放射線の測定を開始する（ステップＳ０）。
【００４０】
次に、放射線センサ１６によって放射線が測定され、放射線量入力部１０４はその放射線量を取得する。そして、放射線量判断部１０５は測定された放射線量を処理する。具体的には、放射線量の累積値（積算値）が予め設定される基準値を超えているかどうかを放射線量判断部１０５が判断する（ステップＳ１）。
【００４１】
放射線量の累積値（積算値）は、記憶部１１から前回までの放射線量の値と経過時間を読出し、今回の測定放射線量を加算することで累積の放射線量を算出し、再度記憶部１１にこの最新の放射線量（累積）を格納する。
【００４２】
そして、このステップＳ１の状態において、測定放射線量（積算）が基準値を超えるまで、ステップＳ１の処理が繰り返される（ステップＳ１：ＮＯ）。
【００４３】
一方、測定放射線量（積算）が基準値を超える場合（ステップＳ１：ＹＥＳ）には、制御部１０は、モード記憶部１０３および状態記憶部１０６に記憶されている種々の情報に加え、アプリケーションソフトウェアが稼働中であるかどうかを判断する（ステップＳ２）。
【００４４】
アプリケーションソフトウェアが稼働中でない場合（ステップＳ２：ＮＯ）には、メモリ制御部１１１は、記憶部１１から更新用ファームウェアを読出し、タッチパネル１７のフラッシュメモリ１７１やカメラ１８のフラッシュメモリ１８１に上書きするようにタッチパネル制御部１１７あるいはカメラ制御部１１８を制御する（ステップＳ６）。
【００４５】
一方、アプリケーションソフトウェアが稼働中である場合（ステップＳ２：ＹＥＳ）には、タッチパネル１７あるいはカメラ１８のアプリケーションソフトウェアを停止させるために、表示制御部１１０は、ＬＣＤやＬＥＤなどの表示部１３がアプリケーションソフトウェアを停止するようにユーザに報知するように制御する（ステップＳ３）。
【００４６】
このステップＳ３の状態において、タッチパネル制御部１１７およびカメラ制御部１１８は、それぞれタッチパネル１７およびカメラ１８上で稼働しているアプリケーションソフトウェアを停止する。
【００４７】
そして、メモリ制御部１１１は、記憶部１１から更新用ファームウェアを読出し、タッチパネル１７のフラッシュメモリ１７１やカメラ１８のフラッシュメモリ１８１に上書きするようにタッチパネル制御部１１７あるいはカメラ制御部１１８を制御する。
【００４８】
ここで、ステップＳ６およびステップＳ５によりフラッシュメモリ１７１，１８１が更新されると、記憶部に格納される放射線量の累積値（積算値）および経過時間はクリアされ、ステップＳ１の処理に戻る(ステップＳ７）。
【００４９】
なお、放射線センサ１６は、非通信時に起動するとして動作フローを説明したが、ユーザの指示により放射線センサ１６を起動させた場合でも、記憶部１１に格納される放射線関連情報に基づき、同様にファームウェアを更新すべきかどうかが判断できる。この判断基準として、毎時の放射線量を用いてもよい。たとえば、前回の測定からの経過時間を記憶部１１から読出すことにより、毎時の放射線量を算出でき、この算出された放射線量と予め設定された基準放射線量（毎時）を比較して、ファームウェアの更新を行なうかどうかを判断してもよい。
【００５０】
実施の形態の通信端末１００の構成を取ることにより、誤動作の発生を防止することで、携帯電話のシステムの安全性を高めることができる。また、ユーザーへの携帯電話の状態（異常状態）を報知することで、突然の携帯電話の機能停止を回避でき、ユーザーが混乱することを防ぐことができる。また、仮に携帯電話の状態が異常になった場合には、放射線量が高い状態にいることをユーザーが認識できるため、ユーザー自ら意図的にファームウェアの更新処理を行い正常に復帰することが可能となる。また、ファームウェアの更新回数を低減することができ、ＣＰＵの負荷を低減させると同時にメモリの書き換え回数も低減できる。
【００５１】
最後に、図等を用いて、実施の形態を総括する。
実施の形態に係る通信端末は、図１〜図３に示すように、放射線を計測可能な通信端末１００であって、放射線を計測する放射線センサ１６と、外部の他の装置との送受信を行なう通信部１２と、エラー訂正機能を有する記憶部１１と、通信端末１００に接続され、自己の設定情報が格納されるフラッシュメモリ１７１，１８１を含む周辺部（タッチパネル１７、カメラ１８）と、放射線センサ１６、タッチパネル１７およびカメラ１８を制御する制御部１０とを備え、記憶部１１は、放射線による影響を受けていない周辺部の設定情報である更新情報を格納し、制御部１０は、放射線量の積算量が所定値を超えているときは、更新情報を記憶部１１から読出し、周辺記憶部の設定情報を更新情報に更新する。
【００５２】
好ましくは、放射線量の積算値は、放射線関連情報として記憶部１１に格納され、制御部１０は、更新情報に更新後、放射線量の積算値をリセットする。
【００５３】
好ましくは、通信部１２が一定時間ごとに外部の他の装置と通信する間欠動作をする場合に、制御部１０は、通信時および非通信時に関わらず、更新情報を記憶部１１から読出し、周辺部（タッチパネル１７、カメラ１８）の設定情報を更新情報に更新する。
【００５４】
好ましくは、記憶部１１は、測定時間、放射線量、放射線量の積算値、測定日時、前回の測定からの経過時間、測定場所情報のいずれか一つを格納する。
【００５５】
また、好ましくは、制御部１０は、更新情報に更新する場合に、周辺部（タッチパネル１７、カメラ１８）を動作させるアプリケーションソフトウェアが実行中であるときは、設定情報を更新情報に更新する前に、周辺部（タッチパネル１７、カメラ１８）を動作させるアプリケーションソフトウェアを停止する。
【００５６】
さらに好ましくは、通信端末１００は、表示部１３をさらに備え、制御部１０は、更新時にアプリケーションソフトウェアを停止前に、ユーザにアプリケーションソフトウェアを停止状態に移行させることを報知する表示を行なうように表示部１３を制御する。
【００５７】
好ましくは、周辺部は、タッチパネル、カメラのいずれかを一つ含む。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５８】
１００  通信端末、１０  制御部、１１  記憶部、１２  通信部、１３  表示部、１４  入力部、１５  電源部、１６  放射線センサ、１７  タッチパネル、１８  カメラ、１０１  指示入力部、１０２  モード設定部、１０３  モード記憶部、１０４  放射線量入力部、１０５  放射線量判断部、１０６  状態記憶部、１０７  通信検知部、１０８  通信判断部、１０９  通信制御部、１１０  表示制御部、１１１  メモリ制御部、１１７  タッチパネル制御部、１１８  カメラ制御部、１７１，１８１  フラッシュメモリ。
【図１】
2013183417.tif 000003
【図２】
2013183417.tif 000004
【図３】
2013183417.tif 000005
【図４】
2013183417.tif 000006